(57)【要約】【課題】擬人的なフィギュア玩具において、その関節部分の様々な動きを簡単に調整設定でき、一層リアルなポーズ・姿態を演出、実現でき、またその動きも滑らかにする。【解決手段】胴部体１０に頭部体３０、腕部体５０、脚部体９０を連結手段２１，３１，４１，５１，８０，９１によって回動、揺動可能にして連結する。腕部体５０の肘・手首、脚部体９０の膝・足首それぞれは連結手段６１，７１，１０１，１１１によって回動、揺動可能に連結する。連結する各被連結身体部材１０，２０，３０，５０，５０Ａ，５０Ｂ，５０Ｃ，９０，９０Ａ，９０Ｂ，９０Ｃそれぞれによって擬人的形態で組み立て、連結手段２１，…は、各被連結身体部材１０，…の連結端部それぞれに設けた連結孔に、少なくともいずれか一方は回動自在に強制的に嵌め入れる対状の連結アームと、この連結アーム相互を揺動自在に連繋している屈曲連繋環とを備える。【選択図】図１
0003171931.tif 000002
【実用新案登録請求の範囲】
【請求項１】
胴部体に対して頸部を介して頭部体が、また直接に腕部体、脚部体がそれぞれの各関節部位に配してある連結手段によって回動、揺動可能にして連結されると共に、腕部体における肘・手首、脚部体における膝・足首それぞれの関節部位が連結手段によって回動、揺動可能に連結され、こうして連結される各被連結身体部材それぞれによって擬人的形態で組み立てられるフィギュア玩具の関節構造であって、連結手段は、各被連結身体部材の連結側の端部それぞれに設けた連結孔に、少なくともいずれか一方では回動自在にして強制的に嵌め入れられる対状の連結アームと、この連結アーム相互を揺動自在に連繋している屈曲連繋環とを備えていることを特徴とするフィギュア玩具の関節構造。
【請求項２】
相互に連結される被連結身体部材は、胴部体と頸部との、頸部と頭部体との、胴部体と腕部体との、胴部体と脚部体とのいずれか、あるいは腕部体における上腕部と下腕部との、同じく下腕部と手部との、脚部体における大腿部と脛部との、同じく脛部と足部とのいずれかである請求項１に記載のフィギュア玩具の関節構造。
【請求項３】
胴部体と頸部とを連結する頸部連結手段、上腕部と下腕部とを連結する肘部連結手段、大腿部と脛部とを連結する膝部連結手段、脛部と足部とを連結する足首連結手段は、被連結身体部材のいずれか一方の連結孔に嵌め入れられる一方の連結アームに、扁平なドーナツ状で連繋孔を有する連繋リングを一体に形成した中央部材と、この中央部材の連繋リングの一方の面に当接する第１挟持部面に、連繋リングの連繋孔に回動自在に嵌め入れられる連繋円盤部を隆部状に突設形成すると共に、第１挟持部に半割状の連結半割アームを突出状に一体形成して成る第１挟持部材と、中央部材の連繋リングの他方の面に当接する第２挟持部面に、連繋円盤部に嵌め合う雌雄の挟持嵌合部を形成すると共に、第２挟持部に、第１挟持部の連結半割アームに嵌め合う雌雄の連結嵌合部を備えた半割状の連結半割アームを突出状に一体形成して成る第２挟持部材とから成り、中央部材の両面から対状に組み合わせられる第１，第２挟持部材が、中央部材の連繋リングを両側に配した第１，第２挟持部にて連繋円盤部を連繋孔内に嵌め入れ、挟持嵌合部によって嵌合して屈曲連繋環となし、また、相互の内側面が当接する連結半割アームが連結嵌合部によって嵌合して、被連結身体部材のいずれか他方の連結孔に嵌め入れられる他方の連結アームとなしてある請求項１または２に記載のフィギュア玩具の関節構造。
【請求項４】
頸部連結手段の頸部側、肘部連結手段の下腕部側、膝部連結手段の脛部側の連結アーム、及び頸部に設けた胴部連結孔、下腕部に設けた上腕連結孔、脛部に設けた大腿連結孔それぞれは、断面で矩形状に形成してある請求項３に記載のフィギュア玩具の関節構造。
【請求項５】
胴部体と腕部体とを連結する肩部構造は、胴部体の肩部収納部に前後方向で揺動自在に連結した肩部連結手段と、この肩部連結手段に揺動、回動自在に連結した腕部連結手段とから成り、肩部連結手段は、肩部収納部に設けられている腕部連結孔に強制的に嵌め入れられる肩連結アームに、正面からみて円形状を呈し、側面からみて矩形状を呈していて、この側面部分に内周側面・底面が球面状となっている溝状の連結凹部を備えた腕連結ブロックを一体状に形成してある請求項１乃至４のいずれかに記載のフィギュア玩具の関節構造。
【請求項６】
腕部連結手段は、肩部連結手段における連結ブロックの連結凹部に強制的に嵌め入れられる球体状の肩部連結球と、腕部体の上部に形成してある肩部連結孔に回動自在に強制的に嵌め入れられる腕部連結アームと、これらの肩部連結球、腕部連結アーム相互を揺動自在に連繋している屈曲連繋環とから成る請求項１乃至５のいずれか記載のフィギュア玩具の関節構造。
【請求項７】
腕部連結手段は、肩部連結球に、ドーナツ状で連繋孔を有する連繋リングを一体に形成した中央部材と、この中央部材の連繋リングの一方の面に当接する第１挟持部面に、連繋リングの連繋孔に回動自在に嵌め入れられる連繋円盤部を隆部状に突設形成すると共に、第１挟持部の縁部に半割状の連結半割アームを突出状に一体形成して成る第１挟持部材と、中央部材の連繋リングの他方の面に当接する第２挟持部面に、連繋円盤部に嵌め合う雌雄の挟持嵌合部を形成すると共に、第２挟持部の縁部に、第１挟持部の連結半割アームに嵌め合う雌雄の連結嵌合部を備えた半割状の連結半割アームを突出状に一体形成して成る第２挟持部材から成り、中央部材の連繋リングの両側に配した第１，第２挟持部にて連繋円盤部を連繋孔内に嵌め入れ、挟持嵌合部によって嵌合して屈曲連繋環となし、また、相互の内側面が当接する連結半割アームが連結嵌合部によって嵌合して腕部体の肩部連結孔に嵌め入れられる断面で円形の肩部連結アームとなしてある請求項６に記載のフィギュア玩具の関節構造。
【請求項８】
下腕部と手部とを連結する手首連結手段は、先細状の軸部の先端に軸部先端径に比しやや大径なフランジ部分を形成することによって側面略Ｔ字形状で、手部の腕連結孔に強制的に嵌め入れられる手部連結フランジにおける軸部に、扁平なドーナツ状で連繋孔を有する連繋リングを一体に形成した中央部材と、この中央部材の連繋リングの一方の面に当接する第１挟持部面に、連繋リングの連繋孔に回動自在に嵌め入れられる連繋円盤部を隆部状に突設形成すると共に、第１挟持部の縁部に半割状の連結半割アームを突出状に一体形成して成る第１挟持部材と、中央部材の連繋リングの他方の面に当接する第２挟持部面に、連繋円盤部に嵌め合う雌雄の挟持嵌合部を形成すると共に、第２挟持部の縁部に、第１挟持部の連結半割アームに嵌め合う雌雄の連結嵌合部を備えた半割状の連結半割アームを突出状に一体形成して成る第２挟持部材とから成り、中央部材の両面から対状に組み合わせられる第１，第２挟持部材が、中央部材の連繋リングを両側に配した第１，第２挟持部にて連繋円盤部を連繋孔内に嵌め入れ、挟持嵌合部によって嵌合して屈曲連繋環となし、また、相互の内側面が当接する連結半割アームが連結嵌合部によって嵌合して、下腕部の手部連結孔に嵌め入れられる断面で円形の腕連結アームとなしてある請求項１乃至７のいずれかに記載のフィギュア玩具の関節構造。
【請求項９】
胴部体と脚部体とは、胴部体の下部に内装配置した股間関節機構部を介して回動、揺動可能にして連結した脚部連結手段によって連結してある請求項１乃至８のいずれかに記載しのフィギュア玩具の関節構造。
【請求項１０】
股間関節機構部は、胴部体の下部に形成してある股間連結孔に回動、揺動自在に強制的に嵌め入れられる胴部連結球を有する股間連結ベースと、この股間連結ベースに中央部位で揺動自在に連繋され、左右の脚部体それぞれが脚部連結手段によって回動自在に連結される脚部連結球を端部に備えた股間揺動バーとから成る請求項９に記載のフィギュア玩具の関節構造。
【請求項１１】
脚部連結手段は、股間関節機構部の脚部連結球に強制的に嵌め合わせるよう内周側面、底面が球面状となっている溝状の嵌合凹部を備えた連結ブロックを上部に有し、脚部体の上部に形成してある股間部連結孔に回動自在で強制的に嵌め入れる脚部連結アームを下部に備えて成る請求項１乃至１０のいずれかに記載のフィギュア玩具の関節構造。
【考案の詳細な説明】
【技術分野】
【０００１】
この考案は、キャラクターやロボット等の立体造形物である、いわゆるフィギュア（人形体）を様々な姿態に変化させるべく、例えば胴部体に繋がる頭部体、腕部体、脚部体それぞれの可動連結部分、腕部体、脚部体自体における関節部分等の折り曲げの方向、角度を自由に調整設定でき、それによって所定の動態的イメージを自在に演出、実現できるようにしたフィギュア玩具の関節構造に関する。
【背景技術】
【０００２】
従来から、この種の擬人的なキャラクター、フィギュア玩具では、様々な姿態となして例えば飾るとき、それが人形であると、例えば人間においての頸部、肩部、股間部等の捻り、折り曲げ更には腕部、脚部における関節部分の折り曲げ方向、その角度等によって様々な姿態・形態（ポーズ）となるのと同様に、人形にも同様な可動を許容させる関節部分となる結合装置・結合具等を設けておき、これらの折り曲げ方向、角度等を調整変化させることで所定の姿態を演出、実現している。
【０００３】
そのための例えば腕部自体、脚部自体、これらと胴体部等との各部位の可動部構造として各種の関節部構成が提案されている。例えば特許文献１に示される人形玩具、特許文献２に示される人形組立玩具と、人形組立用ジョイント部材と、ジョイント部材を用いた人形の組立方法、特許文献３に示されるぬいぐるみ玩具等である。特許文献１の人形玩具は、胴体部に頭部、腕部、脚部をボールジョイントによって回動、揺動可能に取り付けると共に、胴体部における胸部と腹部とはレバー付ピンジョイントによって前後回動可能にし、腹部と腰部とはボールジョイントによって回動、揺動可能に取り付けて成る。特許文献２の人形組立玩具は、人形の各部となる形成部材を、先細りの棒状材周囲に螺旋部を形成したジョイント部材によってねじ止め連結して成る。特許文献３のぬいぐるみ玩具は、胴体部に、頭部・腕部・脚部等の枝部を柔軟樹脂製の関節によって接合するのであり、この関節は胴体部骨材、枝部骨材それぞれと回転可能で抜け止め状に嵌合して成る。
【先行技術文献】
【特許文献】
【０００４】
【特許文献１】特開２００４−７３５１４号公報
【特許文献２】特開２００７−３０７２９１号公報
【特許文献３】登録実用新案第３１１２４７７号公報
【考案の概要】
【考案が解決しようとする課題】
【０００５】
これらの従来の可動可能な関節構造を備えている人形玩具において、特許文献１の人形玩具ではボールジョイント構造によるから、胴体部に対する頭部、腕部、脚部の回動、揺動を可能にしてはいても、腕部の肘・手首、脚部の膝・足首等における揺動、回動等の細かな動きは十分ではない。特許文献２の人形組立玩具では胴体部に対してジョイント部材によって形成部材をねじ止めしているから、形成部材は胴体部に対して向きを変える接合面での回動しかできず、様々な姿態の変化には対応できない。特許文献３のぬいぐるみ玩具では胴体部に対して柔軟な関節によって枝部を連結しているから、枝部の胴体部に対する接合面での回動、揺動は可能であっても、枝部自体が例えば肘、膝の相当部位で屈曲せず、関節によって腕部、脚部自体が曲がることが要求されるフィギュア玩具には適当ではない。
【０００６】
そこでこの考案は上述したような従来存した諸事情に鑑み案出されたもので、その目的は様々なポーズ・姿態となる擬人的な各種のフィギュア玩具において、その可動部となる胴部体に対する頸部を介した頭部体、肩部を介した腕部体更にはその肘・手首、股間部を介した脚部体更にはその膝・足首等を人間における関節の動きと同様に動かせるようにし、一層リアルなポーズ・姿態を実現でき、またその動きも滑らかになるようにしたフィギュア玩具の関節構造を提供することにある。
【課題を解決するための手段】
【０００７】
上述した課題を解決するため、この考案にあっては、胴部体１０に対して頸部２０を介して頭部体３０が、また直接に腕部体５０、脚部体９０がそれぞれの各関節部位に配してある連結手段２１，５１，９１によって回動、揺動可能にして連結されると共に、腕部体５０における肘・手首、脚部体９０における膝・足首それぞれの関節部位が連結手段６１，７１，１０１，１１１によって回動、揺動可能に連結され、こうして連結される各被連結身体部材１０，２０，３０，５０，５０Ａ，５０Ｂ，５０Ｃ，９０，９０Ａ，９０Ｂ，９０Ｃそれぞれによって擬人的形態で組み立てられるフィギュア玩具の関節構造であって、連結手段２１，…は、各被連結身体部材１０，…の連結側の端部それぞれに設けた連結孔１１Ａ，１２Ａ，２２Ａ，２２Ｂ，５５，６２Ａ，６２Ｂ，７２，７９Ａ，８１，１０２，１０７，１１２Ａ，１１２Ｂに、少なくともいずれか一方では回動自在にして強制的に嵌め入れられる対状の連結アーム２３，２４，５２，５３，６３，６４，７３，７４，１０３，１０４，１１３，１１４と、この連結アーム２３，…相互を揺動自在に連繋している屈曲連繋環２５，５４，６５，７５，１０５，１１５とを備えていることを特徴とする。
相互に連結される被連結身体部材１０…は、胴部体１０と頸部２０との、頸部２０と頭部体３０との、胴部体１０と腕部体５０との、胴部体１０と脚部体９０とのいずれか、あるいは腕部体５０における上腕部５０Ａと下腕部５０Ｂとの、同じく下腕部５０Ｂと手部５０Ｃとの、脚部体９０における大腿部９０Ａと脛部９０Ｂとの、同じく脛部９０Ｂと足部９０Ｃとのいずれかであるとして構成することができる。
胴部体１０と頸部２０とを連結する頸部連結手段２１、上腕部５０Ａと下腕部５０Ｂとを連結する肘部連結手段６１、大腿部９０Ａと脛部９０Ｂとを連結する膝部連結手段１０１、脛部９０Ｂと足部９０Ｃとを連結する足首連結手段１１１は、被連結身体部材１０，２０，５０Ａ，５０Ｂ，９０Ａ，９０Ｂ，９０Ｃのいずれか一方１０，５０Ａ，９０Ａ，９０Ｂの連結孔１１Ａ，６２Ａ，１０２，１１２Ａに嵌め入れられる一方の連結アーム２３，６３，１０３，１１３に、扁平なドーナツ状で連繋孔２５Ａ，６５Ａ，１１５Ａを有する連繋リング２５Ｂ，６５Ｂ，１１５Ｂを一体に形成した中央部材２７，６７，１１５と、この中央部材２７，…の連繋リング２５Ｂ，…の一方の面に当接する第１挟持部２５Ｃ，６５Ｃ，１１５Ｃ面に、連繋リング２５Ｂ，…の連繋孔２５Ａ，…に回動自在に嵌め入れられる連繋円盤部２５Ｄ，６５Ｄ，１１５Ｄを隆部状に突設形成すると共に、第１挟持部２５Ｃ，…に半割状の連結半割アーム２４Ａ，６４Ａ，１１４Ａを突出状に一体形成して成る第１挟持部材２８，６８，１１８と、中央部材２７，…の連繋リング２５Ｂ，…の他方の面に当接する第２挟持部２５Ｅ，６５Ｅ，１１５Ｅ面に、連繋円盤部２５Ｄ，…に嵌め合う雌雄の挟持嵌合部２５Ｆ，６５Ｆ，１１５Ｆを形成すると共に、第２挟持部２５Ｅ，…に、第１挟持部２５Ｃ，…の連結半割アーム２３Ａ，…に嵌め合う雌雄の連結嵌合部２３Ｃ，６４Ｃ，１１４Ｃを備えた半割状の連結半割アーム２３Ｂ，６４Ｂ，１１４Ｂを突出状に一体形成して成る第２挟持部材２９，６９，１１９とから成り、中央部材２７，…の両面から対状に組み合わせられる第１，第２挟持部材２８，２９，…が、中央部材２７，…の連繋リング２５Ｂ，…を両側に配した第１，第２挟持部２５Ｃ，２５Ｅ，…にて連繋円盤部２５Ｄ，…を連繋孔２５Ａ，…内に嵌め入れ、挟持嵌合部２５Ｆ，…によって嵌合して屈曲連繋環２５，６５，１０５，１１５となし、また、相互の内側面が当接する連結半割アーム２４Ａ，２４Ｂ，…が連結嵌合部２４Ｃ，…によって嵌合して、被連結身体部材のいずれか他方２０，５０Ｂ，９０Ｂ，９０Ｃの連結孔２２Ａ，６２Ｂ，１０７，１１２Ｂに嵌め入れられる他方の連結アーム２３，６４，１０４，１１４となして構成することができる。
頸部連結手段２１の頸部２０側、肘部連結手段６１の下腕部５０Ｂ側、膝部連結手段１０１の脛部９０Ｂ側の連結アーム２４，６４，１０４、及び頸部２０に設けた胴部連結孔２２Ａ、下腕部５０Ｂに設けた上腕連結孔６２Ｂ、脛部９０Ｂに設けた大腿連結孔１０７それぞれは、断面で矩形状に形成して構成することができる。
胴部体１０と腕部体５０とを連結する肩部構造は、胴部体１０の肩部収納部１２に前後方向で揺動自在に連結した肩部連結手段４１と、この肩部連結手段４１に揺動、回動自在に連結した腕部連結手段５１とから成り、肩部連結手段４１は、肩部収納部１２に設けられている腕部連結孔１２Ａに強制的に嵌め入れられる肩連結アーム４２に、正面からみて円形状を呈し、側面からみて矩形状を呈していて、この側面部分に内周側面・底面が球面状となっている溝状の連結凹部４４を備えた腕連結ブロック４３を一体状に形成して構成することができる。
また、腕部連結手段５１は、肩部連結手段４１における連結ブロック４３の連結凹部４４に強制的に嵌め入れられる球体状の肩部連結球５２と、腕部体５０の上部に形成してある肩部連結孔５５に回動自在に強制的に嵌め入れられる腕部連結アーム５３と、これらの肩部連結球５２、腕部連結アーム５３相互を揺動自在に連繋している屈曲連繋環５４とから構成することができる。より具体的には、肩部連結球５２に、ドーナツ状で連繋孔５４Ａを有する連繋リング５４Ｂを一体に形成した中央部材５７と、この中央部材５７の連繋リング５４Ｂの一方の面に当接する第１挟持部５４Ｃ面に、連繋リング５４Ｂの連繋孔５４Ａに回動自在に嵌め入れられる連繋円盤部５４Ｄを隆部状に突設形成すると共に、第１挟持部５４Ｃの縁部に半割状の連結半割アーム５３Ａを突出状に一体形成して成る第１挟持部材５８と、中央部材５７の連繋リング５４Ｂの他方の面に当接する第２挟持部５４Ｅ面に、連繋円盤部５４Ｄに嵌め合う雌雄の挟持嵌合部５４Ｆを形成すると共に、第２挟持部５４Ｅの縁部に、第１挟持部５４Ｃの連結半割アーム５３Ａに嵌め合う雌雄の連結嵌合部５３Ｃを備えた半割状の連結半割アーム５３Ｂを突出状に一体形成して成る第２挟持部材５９とから成り、中央部材５７の連繋リング５４Ｂの両側に配した第１，第２挟持部５４Ｃ，５４Ｅにて連繋円盤部５４Ｄを連繋孔５４Ａ内に嵌め入れ、挟持嵌合部５４Ｆによって嵌合して屈曲連繋環５４となし、また、相互の内側面が当接する連結半割アーム５３Ａ，５３Ｂが連結嵌合部５３Ｃによって嵌合して腕部体５０の肩部連結孔５５に嵌め入れられる断面で円形の肩部連結アーム５３となして構成することができる。
下腕部５０Ｂと手部５０Ｃとを連結する手首連結手段７１は、先細状の軸部の先端に軸部先端径に比しやや大径なフランジ部分を形成することによって側面略Ｔ字形状で、手部５０Ｃの腕連結孔７９Ａに強制的に嵌め入れられる手部連結フランジ７４における軸部に、扁平なドーナツ状で連繋孔７５Ａを有する連繋リング７５Ｂを一体に形成した中央部材７７と、この中央部材７７の連繋リング７５Ｂの一方の面に当接する第１挟持部７５Ｃ面に、連繋リング７５Ｂの連繋孔７５Ａに回動自在に嵌め入れられる連繋円盤部７５Ｄを隆部状に突設形成すると共に、第１挟持部７５Ｃの縁部に半割状の連結半割アーム７３Ａを突出状に一体形成して成る第１挟持部材７８と、中央部材７７の連繋リング７５Ｂの他方の面に当接する第２挟持部７５Ｅ面に、連繋円盤部７５Ｄに嵌め合う雌雄の挟持嵌合部７５Ｆを形成すると共に、第２挟持部７５Ｅの縁部に、第１挟持部７５Ｃの連結半割アーム７３Ａに嵌め合う雌雄の連結嵌合部７３Ｃを備えた半割状の連結半割アーム７３Ｂを突出状に一体形成して成る第２挟持部材７９とから成り、中央部材７７の両面から対状に組み合わせられる第１，第２挟持部材７８，７９が、中央部材７７の連繋リング７５Ｂを両側に配した第１，第２挟持部７５Ｃ，７５Ｅにて連繋円盤部７５Ｄを連繋孔７５Ａ内に嵌め入れ、挟持嵌合部７５Ｆによって嵌合して屈曲連繋環７５となし、また、相互の内側面が当接する連結半割アーム７３Ａ，７３Ｂが連結嵌合部７３Ｃによって嵌合して、下腕部５０Ｂの手部連結孔７２に嵌め入れられる断面で円形の腕連結アーム７３となして構成することができる。
胴部体１０と脚部体９０とは、胴部体１０の下部に内装配置した股間関節機構部８０を介して回動、揺動可能にして連結した脚部連結手段９１によって連結して構成することができる。
股間関節機構部８０は、胴部体１０の下部に形成してある股間連結孔８１に回動、揺動自在に強制的に嵌め入れられる胴部連結球８３を有する股間連結ベース８２と、この股間連結ベース８２に中央部位で揺動自在に連繋され、左右の脚部体９０それぞれが脚部連結手段９１によって回動自在に連結される脚部連結球８８を端部に備えた股間揺動バー８５とから構成することができる。
脚部連結手段９１は、股間関節機構部８０の脚部連結球８８に強制的に嵌め合わせるよう内周側面、底面が球面状となっている溝状の嵌合凹部９３を備えた連結ブロック９２を上部に有し、脚部体９０の上部に形成してある股間部連結孔９５に回動自在で強制的に嵌め入れる脚部連結アーム９４を下部に備えることで構成することができる。
【０００８】
以上のように構成されたこの考案に係るフィギュア玩具の関節構造にあって、胴部体１０、頭部体３０、左右の腕部体５０、左右の脚部体９０から成るフィギュア玩具本体１は、胴部体１０に対して頸部２０を介して頭部体３０が、肩部構造（４１，５１）を介して腕部体５０が、股間関節機構部８０、脚部連結手段９１を介して脚部体９０がそれぞれ回動、揺動可能にして連結されることで、擬人的な様々な姿態を演出するよう変化させることができ、また、その態様で例えばディスプレー具Ｓに支持させる。
頸部連結手段２１、肘部連結手段６１、膝部連結手段１０１、足首連結手段１１１それぞれは、胴部体３０と頸部２０、上腕部５０Ａと下腕部５０Ｂ、大腿部９０Ａと脛部９０Ｂ、脛部９０Ｂと足部９０Ｃ等をそれらの間で折り曲げ角度を調整設定して、また一方が他方に対してその連結方向に回動させることで、人間の各関節部位における動きと同様な動きを可能とさせて様々な姿態を演出する。
肩部連結手段４１、腕部連結手段５１から成る肩部構造は、胴部体１０に対する腕部体５０を前後、上下に揺動させ、また回動させて腕部体５０の捻りを含む肩部の動きに対応でき、肘部連結手段６１、手首連結手段７１等による上腕部５０Ａ、下腕部５０Ｂ、手部５０Ｃ等による例えば武器その他の各種携帯品の携帯・握持・持参等の様々なポーズに対応したものとさせる。
胴部体１０下部において、股間連結ベース８２、股間揺動バー８５から成る股間関節機構部８０は、股間揺動バー８５端部の脚部連結球８８に連結する脚部連結手段９１が前後、上下方向への揺動、更には回動を可能とさせていることで、股間部分における脚部体９０の捻りを含む動きに追随でき、膝部連結手段１０１、足首連結手段１１１の揺動、回動と共に立ち姿勢、膝立ち姿勢、屈み姿勢、座り姿勢、足投げ出し姿勢その他を簡単に演出させる。
【考案の効果】
【０００９】
この考案は以上説明したように構成されているため、胴部体１０に対する頸部２０を介した頭部体３０、肩部（４１，５１）を介した腕部体５０、股間部（８０，９１）を介した脚部体９０それぞれを、また、腕部体５０における肘・手首、脚部体９０における膝・足首それぞれを連結手段（６１，７１，１０１，１１１）を介して自在に揺動、回動でき、擬人的なフィギュア玩具を様々なポーズ・姿態となしてディスプレーすることができる。各被連結身体部材１０，…相互間の連結手段２１，…では、人間における関節の動きと同様に動かすことができ、一層リアルなポーズ・姿態を演出し、実現でき、またその動きも滑らかである。
【００１０】
すなわち、これはこの考案において、擬人的形態で組み立てられるフィギュア玩具の各被連結身体部材１０，…相互間の連結手段２１，…は、各被連結身体部材１０，…の連結端部それぞれに設けた連結孔１１Ａ，…に、少なくともいずれか一方では回動自在にして強制的に嵌め入れられる連結アーム２３，…と、この連結アーム２３，…相互を揺動自在に連繋している屈曲連繋環２５，…とを備えているからである。これにより、胴部体１０に対する頭部体３０、腕部体５０、脚部体９０それぞれの頸、肩、股間部を介した揺動、回動等の動き、腕部体５０における肘・手首等の関節、脚部体９０における膝・足首等の関節等の動きを人間の動きと同様に実現でき、様々な姿態をフィギュア玩具によって演出できる。
【００１１】
また、肩部構造は、胴部体１０の腕部連結孔１２Ａに前後方向で揺動自在に連結した肩部連結手段４１と、この肩部連結手段４１に揺動、回動自在に連結した腕部連結手段５１とから成り、腕部連結手段５１の肩部連結球５２を肩部連結手段４１の連結凹部４４に強制的に嵌め入れることで球対偶構造で連結しており、また、腕部連結手段５１の腕部連結アーム５３を腕部体５０に回動自在にして連結してあるから、二重関節構造となって胴部体１０に対して腕部体５０を前後、上下に揺動可能であるのは勿論のこと、更には回動可能として擬人的な肩部の動きを実現できる。このような肩部（４１，５１）部分における動きと共に、腕部体５０自体の上腕部５０Ａ、下腕部５０Ｂ、手部５０Ｃ相互間の肘部連結手段６１、手首連結手段７１それぞれによる揺動、回転によって、腕部体５０自体を様々な擬人的動きを模して変化でき、各種携帯品例えば武器その他を持った戦闘姿勢その他を簡単に演出できる。
【００１２】
股間関節機構部８０は、胴部体１０の下部に回動、揺動自在に連結する股間連結ベース８２に股間揺動バー８５を揺動自在に連繋し、この股間揺動バー８５端部の脚部連結球８８に脚部連結手段９１を球対偶構造で連結してあるから、股間部における脚部体９０の捻りを含めた前後、上下での揺動、回動を円滑に調整設定できる。また、脚部体９０自体の大腿部９０Ａ、脛部９０Ｂ、足部９０Ｃ相互間の膝部連結手段１０１、足首連結手段１１１による揺動、回動と共に、脚部体９０自体を様々な擬人的姿態のものとして変化でき、立ち姿勢、屈み姿勢その他を簡単に演出できる。
【００１３】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１４】
【図１】この考案を実施するための一形態を示す全体の断面概略図である。
【図２】同じく胴部体の分解断面図である。
【図３】同じく頸部を含む頭部体の分解断面図である。
【図４】同じく頸部連結手段における分解斜視図である。
【図５】同じく頭部体における分解斜視図である。
【図６】同じく肩部分における分解断面図である。
【図７】同じく腕部連結手段の分解斜視図である。
【図８】同じく肘部連結手段、膝部連結手段それぞれにおける分解斜視図である。
【図９】同じく手首連結手段の分解斜視図である。
【図１０】同じく股間関節機構部部分における分解斜視図である。
【図１１】同じく足首連結手段における分解斜視図である。
【図１２】同じく可動部分の動きによって所定の姿態を演出したときのフィギュア玩具の一例における斜視図である。
【考案を実施するための形態】
【００１５】
（概略）
以下、図面を参照してこの考案を実施するための一形態を説明すると、図において示される符号１は例えば人間の姿態を模して組み立てられている擬人的なフィギュア玩具本体であり、胴部体１０の上部に設けられている頸部（２０，２１）構造によって連結される頭部体３０、胴部体１０の上部左右に設けられている肩部（４１，５１）構造によって連結される左右の腕部体６０、胴部体１０の下部に設けられている股間部（８０，９１）構造によって左右に連結される左右の脚部体９０から成る。
【００１６】
（フィギュア玩具本体１）
このフィギュア玩具本体１は、胴部体１０と各部体３０，６０，９０との連結部位、また各部体１０，３０，６０，９０自体に設けたそれぞれの可動部である胴部形成連結手段１４、頸部連結手段２１、頭部連結手段３１、左右の腕部連結手段５１、肘部連結手段６１、手首連結手段７１、股間関節機構部８０、左右の脚部連結手段９１、膝部連結手段１０１、足首連結手段１１１等にて回動、揺動、屈曲等される。そして、フィギュア玩具としての所定の形態となるよう適宜にデフォルメされた各部体１０，３０，６０，９０は、所定の服装、携帯品等と共に適宜な姿態を呈するように演出された状態で、支持高さ、支持態様、支持方向等が調整されるスタンド具Ｓによって支持され、ディスプレーされるようになっている（図１２参照）。
【００１７】
（胴部体１０）
胴部体１０は、例えば個性あるフィギュア玩具本体１それぞれとしての所定の姿態を呈するのに対応してそれぞれの外形状となっている胸部１０Ａ、腹部１０Ｂから成る。そして、これらの胸部１０Ａ、腹部１０Ｂは、相互間で左右・前後・上下に回動可能にしている胴部形成連結手段１４によってそれぞれに分割・結合組立が可能となるように適宜に形成されており、必要があれば、姿態に対応する服飾飾り、アクセサリーその他が適宜に組み合わせられるようにしている。
【００１８】
胴部形成連結手段１４は、図２に示すように胸部１０Ａの下部面に形成した腹部連結孔１５Ａに回動自在に強制的に嵌め入れられる第１連結球１６と、腹部１０Ｂ上部面に形成した胸部連結孔１５Ｂに回動自在に強制的に嵌め入れられる第２連結球１７とを、これらを端部に配した軸部１８によって一体状に形成して成る。尚、第１連結球１６と第２連結球１７とは、同大、同形に形成されていて、いずれが胸部１０Ａあるいは腹部１０Ｂに連結されるも差し支えない。また、第１，第２連結球１６，１７それぞれは、腹部連結孔１５Ａ、胸部連結孔１５Ｂそれぞれの内周面に固定的に嵌め入れたスリットがある筒状の胴部スリーブ１５Ｃを介して腹部連結孔１５Ａ、胸部連結孔１５Ｂそれぞれに嵌め入れられていることで、胸部１０Ａ、腹部１０Ｂ相互間の球体面による回動操作が方向を問わずに円滑になるように配慮してある。
【００１９】
（頸部２０）
この胴部体１０の上部には、図３に示すように、胴部体１０に対しての回動、揺動を可能とさせる頸部連結手段２１によって頸部２０を連結し、この頸部２０に、同じく頸部２０に対しての回動、揺動を可能とさせる頭部連結手段３１によって頭部体３０を連結してある。頸部２０は、頸部連結出段２１が強制的な嵌合式の着脱操作で連結される胴部連結孔２２Ａを下部に、頭部連結手段３１が同じく強制的な嵌合式の着脱操作で連結される頭部連結孔２２Ｂを上部に形成した外形が頸形状を呈するように形成されて成る。
【００２０】
（頸部連結手段２１）
頸部連結手段２１は、胴部体１０の上部、すなわち胸部１０Ａの上部のほぼ中央位置に抉るようにして設けられた頸部収納部１１に断面で円形状で開穿してある頸部連結孔１１Ａに強制的に嵌め入れられる棒状の第１連結アーム２３と、頸部２０における前記胴部連結孔２２Ａに強制的に嵌め入れられる棒状の第２連結アーム２４と、これらの連結アーム２３，２４相互を揺動自在に連繋している屈曲連繋環２５とから成る。また、第１，第２連結アーム２３，２４の外周面と、頸部連結孔１１Ａ、胴部連結孔２２Ａの内周面との間で強制的に嵌め合わされて容易には抜脱されないように相互に噛み合う突条部と溝部とから成る抜脱防止部２６がそれぞれの周方向に沿って形成されている。
【００２１】
この頸部連結手段２１の具体的な構成は、図４に示すように、第２連結アーム２４となる断面で矩形を呈する棒状のアーム部（２４）の一端面のほぼ中央部位に、扁平なドーナツ状で連繋孔２５Ａを有する連繋リング２５Ｂを一体に形成した中央部材２７と、この中央部材２７の連繋リング２５Ｂの一方の面に当接する第１挟持部２５Ｃ面に、連繋リング２５Ｂの連繋孔２５Ａに回動自在に嵌め入れられる連繋円盤部２５Ｄを隆部状に突設形成すると共に、第１挟持部２５Ｃの縁部に半割状の断面半円形状の連結半割アーム２３Ａを突出状に一体形成して成る第１挟持部材２８と、中央部材２７の連繋リング２５Ｂの他方の面に当接する第２挟持部２５Ｅ面に、連繋円盤部２５Ｄに嵌め合う雌雄の挟持嵌合部２５Ｆを形成すると共に、第２挟持部２５Ｅの縁部に、第１挟持部２５Ｃの連結半割アーム２３Ａに嵌め合う雌雄の連結嵌合部２３Ｃを備えた半割状の断面半円形状の連結半割アーム２３Ｂを突出状に一体形成して成る第２挟持部材２９とから構成されている。
【００２２】
これらの中央部材２７、第１，第２挟持部材２８，２９は、中央部材２７の両面から対状に組み合わせられる第１，第２挟持部材２８，２９が、中央部材２７の連繋リング２５Ｂを両側に配した第１，第２挟持部２５Ｃ，２５Ｅにて連繋円盤部２５Ｄを連繋孔２５Ａ内に嵌め入れて挟持嵌合部２５Ｆによって、また、相互の内側面が当接する連結半割アーム２３Ａ，２３Ｂが連結嵌合部２３Ｃによってそれぞれが嵌合一体化されることで組み立てられる。この組立時では、連繋リング２５Ｂ両面に配した第１，第２挟持部２５Ｃ，２５Ｅが屈曲連繋環２５となって連繋リング２５Ｂ面に沿って回動可能であり、中央部材２７の棒状のアーム部（２４）が断面矩形の第２連結アーム２４に、接合されて一体化される半割状の連結半割アーム２３Ａ，２３Ｂ相互による棒状部が断面円形の第１連結アーム２３になって、胴部体１０側、頸部２０側それぞれに連結されることで、可動部を構成する。
【００２３】
尚、第１，第２挟持部２５Ｃ，２５Ｅ相互を接合一体化する挟持嵌合部２５Ｆは、第１，第２挟持部材２８，２９のいずれに設けても良く、また断面が非円形であることで接合位置を一定にでき、半割状の連結半割アーム２３Ａ，２３Ｂ相互を接合一体化する連結嵌合部２３Ｃは、第１，第２挟持部材２８，２９のいずれが雄部、雌部であっても、また断面が円形であっても良い。
【００２４】
（頭部体３０）
頸部２０に頭部連結手段３１によって連結される頭部体３０は、図５に示すように、眼部分を刳り抜いた顔面部３０Ａ、この顔面部３０Ａにおける眼部分に後方から嵌め入れられて前方から外観され、例えば瞳模様が所定位置に表示される対状の眼面を有する眼部３０Ｂ、頭髪部３０Ｄが連結される後頭部３０Ｃ等から、眼部３０Ｂが顔面部３０Ａ、後頭部３０Ｃ相互間に介在され、雌雄の嵌合によって嵌め込まれることで組み立てられるものとなっている。
【００２５】
また、頸部２０に頭部体３０を回動、揺動可能に連結する頭部連結手段３１は、図３に示すように、頸部２０の頭部連結孔２２Ｂに強制的に嵌め入れられる球体状の第１連結球３２と、頭部体３０例えばその後頭部３０Ｃの下部に形成してある頸部連結孔３５に強制的に嵌め入れられる球体状の第２連結球３３とを，これらを端部に配した軸部３４によって一体状に連結形成して成る。尚、第１連結球３２と第２連結球３３とは、同大、同形に形成されていて、いずれが頸部２０あるいは頭部体３０に連結されるも差し支えない。
【００２６】
頭部連結手段３１の第１あるいは第２連結球３２，３３による頭部体３０との連結部位には、頭部体３０における例えば後頭部３０Ｃの下部に形成してある頸部連結孔３５の内周面に固定的に嵌め入れたスリットがある筒状の頭部スリーブ３５Ｃに連結球３２，３３を強制的に嵌め入れて滑らかに回転させるようにして、回動操作が方向を問わずに円滑になるように配慮してある。
【００２７】
（肩部連結手段４１）
また、胴部体１０の上部左右の肩部構造（４１，５１）は二重関節構造となっていて、胴部体１０に対して前後・上下方向で揺動し、回動する左右の腕部体５０を連結している。すなわち、図６に示すように、胴部体１０の上部左右で、前後方向に沿って揺動するように配装してある左右それぞれで肩部連結手段４１を設け、この肩部連結手段４１それぞれに強制的に嵌め入れられる腕部連結手段５１によって左右の腕部体５０を回動可能にして連結してある。肩部連結手段４１は、胴部体１０における胸部１０Ａの上部左右に抉るように形成してある肩部収納部１２に前後方向に揺動するよう強制的に嵌め入れてあり、この肩部連結手段４１に、腕部体５０を連結させる腕部連結手段５１を、方向を自在にして回動させる球対偶構成によって嵌め入れることで更に連結してある。また、この肩部連結手段４１、腕部連結手段５１による連結構成は、肩部連結手段４１を覆う肩部材４０によって外観されないようにしてある。
【００２８】
胴部体１０における肩部収納部１２は、前記胸部１０Ａの上部左右部分を抉るようにして形成した凹所となっており、この凹所の底部面には、上下方向に沿っている断面で円形を呈する腕部連結孔１２Ａを穿設してあって、この腕部連結孔１２Ａに嵌め入れられることで胴部体１０の前後方向に揺動自在となる肩部連結手段４１を連結してある。肩部連結手段４１自体は、腕部連結孔１２Ａに強制的に嵌め入れられる丸棒状の肩連結アーム４２に、正面からみて円形状を呈し、側面からみて矩形状を呈していて、この側面部分に内周側面・底面が球面状となっている溝状の連結凹部４４を備えた腕連結ブロック４３を一体状に形成して成る。
【００２９】
肩部材４０は、外面が球面状を呈し、挿通凹部４０Ａを有することで二股状に形成されている。この肩部材４０は、肩部収納部１２に前後方向に揺動するよう連結した肩部連結手段４１に、挿通凹部４０Ａと連結凹部４４とを合致させて肩部連結手段４１を覆う状態で肩部連結手段４１に嵌め合わせられるのであり、こうして両者４１，４０は組み立てられる。そして、腕部連結手段５１における後述の肩部連結球５２が挿通凹部４０Ａを経て連結凹部４４内に強制的に回動自在にして嵌め入れられ、嵌め入れ後の肩部材４０は、肩部連結手段４１と腕部連結手段５１との間に介在されることで、肩部連結手段４１、腕部連結手段５１を半ば隠蔽するようになっている。
【００３０】
（腕部連結手段５１）
また、腕部連結手段５１は、肩部連結手段４１における連結ブロック４３の連結凹部４４に肩部材４０の挿通凹部４０Ａを経て強制的に嵌め入れられる球体状の肩部連結球５２と、腕部体５０の上部に形成してある後述の肩部連結孔５５に回動自在に強制的に嵌め入れられる腕部連結アーム５３と、これらの肩部連結球５２、腕部連結アーム５３相互を揺動自在に連繋している屈曲連繋環５４とから成る。また、腕部連結アーム５３の外周面と、肩部連結孔５５の内周面との間で強制的に嵌め合わされて容易には抜脱されないように相互に噛み合う突条部と溝部とから成る抜脱防止部５６がそれぞれの周方向に沿って形成されている。
【００３１】
この腕部連結手段５１の具体的構成は、図７に示すように、肩部連結球５２となる球体状部（５２）の外周面部位に、扁平なドーナツ状で連繋孔５４Ａを有する連繋リング５４Ｂを一体に形成した中央部材５７と、この中央部材５７の連繋リング５４Ｂの一方の面に当接する第１挟持部５４Ｃ面に、連繋リング５４Ｂの連繋孔５４Ａに回動自在に嵌め入れられる連繋円盤部５４Ｄを隆部状に突設形成すると共に、第１挟持部５４Ｃの縁部に半割状の断面半円形状の連結半割アーム５３Ａを突出状に一体形成して成る第１挟持部材５８と、中央部材５７の連繋リング５４Ｂの他方の面に当接する第２挟持部５４Ｅ面に、連繋円盤部５４Ｄに嵌め合う雌雄の挟持嵌合部５４Ｆを形成すると共に、第２挟持部５４Ｅの縁部に、第１挟持部５４Ｃの連結半割アーム５３Ａに嵌め合う雌雄の連結嵌合部５３Ｃを備えた半割状の断面半円形状の連結半割アーム５３Ｂを突出状に一体形成して成る第２挟持部材５９とから構成されている。
【００３２】
これらの中央部材５７、第１，第２挟持部材５８，５９は、中央部材５７に対状に組み合わせられる第１，第２挟持部材５８，５９が、中央部材５７の連繋リング５４Ｂの両側に配した第１，第２挟持部５４Ｃ，５４Ｅにて連繋円盤部５４Ｄを連繋孔５４Ａ内に嵌め入れて挟持嵌合部５４Ｆによって嵌合一体化されることで組み立てられる。この組立時では、連繋リング５４Ｂ両面に配した第１，第２挟持部５４Ｃ，５４Ｅが屈曲連繋環５４となって連繋リング５４Ｂ面に沿って回動可能であり、中央部材５７の肩部連結球５２が胴部体１０側に、半割状の連結判別アーム５３Ａ，５３Ｂ相互が組み合わされる断面円形となる腕部連結アーム５３が腕部体５０側それぞれに連結されることで、可動部を構成する。
【００３３】
（腕部体５０）
このような肩部連結手段４１、腕部連結手段５１によって胴部体１０に連結される左右の腕部体５０は、上腕部５０Ａ、下腕部５０Ｂ、手部５０Ｃから左右それぞれで対称的になるように形成されて成り、上腕部５０Ａと下腕部５０Ｂとは肘部連結手段６１によって、また下腕部５０Ｂと手部５０Ｃとは手首連結手段７１によってそれぞれ回動、揺動自在に連結されている。上腕部５０Ａは、腕部連結手段５１の腕部連結アーム５３が回動自在に強制的に嵌め入れられる肩部連結孔５５を上部に、肘部連結手段６１の連結アーム６３が強制的に嵌め入れられる下腕連結孔６２Ａを下部に備えた外形が上腕状を呈し、下腕部５０Ｂは、肘部連結手段６１の連結アーム６４が強制的に嵌め入れられる上腕連結孔６２Ｂを上部に、手首連結手段７１の腕連結アーム７３が強制的に嵌め入れられる手部連結孔７２を下部に備えた外形が下腕状を呈する。手部５０Ｃは手首連結手段７１の手部連結フランジ７４が強制的に嵌め入れられる腕連結孔７９Ａを上部に備えた外形が手掌状を呈しており、必要があれば模擬鞄その他の携帯品を握持している形態とすることができる。
【００３４】
（肘部連結手段６１）
肘部連結手段６１は、上腕部５０Ａ下部の下腕連結孔６２Ａに強制的に嵌め入れられる棒状の断面円形の第１連結アーム６３と、下腕部５０Ｂにおける上腕連結孔６２Ｂに強制的に嵌め入れられる棒状の断面矩形の第２連結アーム６４と、これらの連結アーム６３，６４相互を揺動自在に連繋している屈曲連繋環６５とから成る。また、第１，第２連結アーム６３，６４の外周面と、下腕連結孔６２Ａ、上腕連結孔６２Ｂの内周面との間で強制的に嵌め合わされて容易には抜脱されないように相互に噛み合う突条部と溝部とから成る抜脱防止部６６がそれぞれの周方向に沿って形成されている。この肘部連結手段６１の具体的な構成は、図８に示すように、第１連結アーム６３となる断面で円形を呈する棒状のアーム部（６３）の一端面のほぼ中央部位に、扁平なドーナツ状で連繋孔６５Ａを有する連繋リング６５Ｂを一体に形成した中央部材６７と、この中央部材６７の連繋リング６５Ｂの一方の面に当接する第１挟持部６５Ｃ面に、連繋リング６５Ｂの連繋孔６５Ａに回動自在に嵌め入れられる連繋円盤部６５Ｄを隆部状に突設形成すると共に、第１挟持部６５Ｃの縁部に半割状の断面矩形の連結半割アーム６４Ａを突出状に一体形成して成る第１挟持部材６８と、中央部材６７の連繋リング６５Ｂの他方の面に当接する第２挟持部６５Ｅ面に、連繋円盤部６５Ｄに嵌め合う雌雄の挟持嵌合部６５Ｆを形成すると共に、第２挟持部６５Ｅの縁部に、第１挟持部６５Ｃの連結半割アーム６４Ａに嵌め合う雌雄の連結嵌合部６４Ｃを備えた半割状の断面矩形の連結半割アーム６４Ｂを突出状に一体形成して成る第２挟持部材６９とから構成されている。
【００３５】
これらの中央部材６７、第１，第２挟持部材６８，６９は、中央部材６７の両面から対状に組み合わせられる第１，第２挟持部材６８，６９が、中央部材６７の連繋リング６５Ｂを両側に配した第１，第２挟持部６５Ｃ，６５Ｅにて連繋円盤部６５Ｄを連繋孔６５Ａ内に嵌め入れて挟持嵌合部６５Ｆによって、また、相互の内側面が当接する連結半割アーム６４Ａ，６４Ｂが連結嵌合部６４Ｃによってそれぞれが嵌合一体化されることで組み立てられる。この組立時では、連繋リング６５Ｂ両面に配した第１，第２挟持部６５Ｃ，６５Ｅが屈曲連繋環６５となって連繋リング６５Ｂ面に沿って回動可能であり、中央部材６７の棒状のアーム部（６３）が断面円形の第１アーム６３に、接合されて一体化される半割状の連結半割アーム６４Ａ，６４Ｂ相互による棒状部が断面矩形の第２連結アーム６４となって、上腕部５０Ａ側、下腕部５０Ｂ側それぞれに連結されることで、可動部を構成する。
【００３６】
尚、第１，第２挟持部６５Ｃ，６５Ｅ相互を接合一体化する挟持嵌合部６５Ｆは、第１，第２挟持部材６８，６９のいずれに設けても良く、また断面が非円形であることで接合位置を一定にでき、半割状の連結半割アーム６４Ａ，６４Ｂ相互を接合一体化する連結嵌合部６４Ｃは、第１，第２挟持部材６８，６９のいずれが雄部、雌部であっても、また断面が円形であっても良い。
【００３７】
（手首連結手段７１）
手首連結手段７１は、下腕部５０Ｂにおける手部連結孔７２に回動自在に強制的に嵌め入れられる腕連結アーム７３と、手部５０Ｃにおける腕連結孔７９Ａに回動自在にして、容易には抜脱できない状態で強制的に嵌め入れられる手部連結フランジ７４と、これらの腕連結アーム７３、手部連結フランジ７４相互を揺動自在に連繋している屈曲連繋環７５とから成る。また、腕連結アーム７３の外周面と、手部連結孔７２の内周面との間で強制的に嵌め合わされて容易には抜脱されないように相互に噛み合う突条部と溝部とから成る抜脱防止部７６がそれぞれの周方向に沿って形成されている。
【００３８】
この手首連結手段７１の具体的構造は、図９に示すように、先細状の軸部の先端に軸部先端径に比しやや大径なフランジ部分を形成することによって側面略Ｔ字形状を呈する手部連結フランジ７４における軸部に、扁平なドーナツ状で連繋孔７５Ａを有する連繋リング７５Ｂを一体に形成した中央部材７７と、この中央部材７７の連繋リング７５Ｂの一方の面に当接する第１挟持部７５Ｃ面に、連繋リング７５Ｂの連繋孔７５Ａに回動自在に嵌め入れられる連繋円盤部７５Ｄを隆部状に突設形成すると共に、第１挟持部７５Ｃの縁部に半割状の断面半円形状の連結半割アーム７３Ａを突出状に一体形成して成る第１挟持部材７８と、中央部材７７の連繋リング７５Ｂの他方の面に当接する第２挟持部７５Ｅ面に、連繋円盤部７５Ｄに嵌め合う雌雄の挟持嵌合部７５Ｆを形成すると共に、第２挟持部７５Ｅの縁部に、第１挟持部７５Ｃの連結半割アーム７３Ａに嵌め合う雌雄の連結嵌合部７３Ｃを備えた半割状の断面半円形状の連結半割アーム７３Ｂを突出状に一体形成して成る第２挟持部材７９とから構成されている。これらの中央部材７７、第１，第２挟持部材７８，７９の組み立ては、前記腕部連結手段５１におけるとそれと同様であるので、説明は省略される。尚、手首部位において外観される手首連結手段７１における屈曲連繋環７５の外表面は球面状に膨出形成することで、手首関節部分の外観体裁を良好となるように配慮してある。
【００３９】
（股間関節機構部８０）
また、胴部体１０の下部には、胴部体１０に対して左右・前後方向に回動、揺動可能にして前記腹部１０Ｂの下部に内装配置した股間関節機構部８０の左右端それぞれに回動、揺動可能にして連結した脚部連結手段９１によって、左右の脚部体９０を左右対称にして連結してある。この股間関節機構部８０は、図１０に示すように、胴部体１０における前記腹部１０Ｂ下部に形成してある股間連結孔８１に回動、揺動自在に強制的に嵌め入れられる胴部連結球８３を有する股間連結ベース８２と、この股間連結ベース８２に中央部位で揺動自在に連繋され、左右の脚部体９０それぞれが脚部連結手段９１によって回動自在に連結される脚部連結球８８を端部に備えた股間揺動バー８５とから成る。
【００４０】
股間連結ベース８２は、胴部連結球８３を上部に備え、側面からみて前後で二股状になっていて、ベース連繋孔８４Ａが開穿されているベース連繋片８４を下部に備えることで一体状に形成して成り、胴部連結球８３は、股間連結孔８１の内周面に固定的に嵌め入れられたスリットがある筒状の股間スリーブ８１Ａを介して股間連結孔８１に嵌め入れられていることで、胴部体１０に対する胴部連結球８３の球体面による回動操作が方向を問わずに円滑になるよう配慮してある。
【００４１】
股間揺動バー８５は、股間連結ベース８２に対して胴部体１０の下部で左右方向に沿って配され、左右の端部に位置する脚部連結球８８が後述するように胴部体１０の下部左右から外出していて、この脚部連結球８８によって脚部体９０を連結させる。すなわち、この股間揺動バー８５は、中央部位の上面に股間連結ベース８２のベース連繋片８４に挟み込まれ、ベース連繋孔８４Ａに合致するバー連繋孔８６Ａが開穿されているバー連繋片８６を有すると共に、端部に脚部連結球８８を備えて成る。そして、股間連結ベース８２には、互いに合致させたベース連繋孔８４Ａ、バー連繋孔８６Ａに挿通させた連繋ネジ、この連繋ネジにねじ止めされる連繋ナットによってねじ止め８７されることで、股間連結ベース８２に股間揺動バー８５を揺動自在に連繋させてある。尚、フィギュア玩具本体１において、その腰部分がいわゆるむっちりタイプの場合には、股間揺動バー８５はやや長めに設定形成される。
【００４２】
胴部体１０の底部すなわち腹部１０Ｂにおける下部左右には、股間関節機構部８０の脚部連結球８８が位置するようになっている臀部収納部１９が抉られているように、窪み状に形成されている。そして、この臀部収納部１９内には、脚部連結手段９１における後述する連結ブロック９３と共に臀部材８９が脚部連結球８８に回動自在に嵌め合わせられて収納されており、収納された臀部材８９は臀部収納部１９部位において外観されるようになっている。尚、臀部材８９は、外面が球面状を呈していて、溝状の挿通凹部８９Ａを有していることで二股状に形成されている。また、胴部体１０底部は、左右の脚部体９０が挿通させた状態となして、いわばショートパンツ状の腰部カバー１９Ａによって着脱可能にして覆われている。
【００４３】
（脚部体９０）
この股間関節機構部８０に連結される脚部体９０は、大腿部９０Ａ、脛部９０Ｂ、足部９０Ｃから左右それぞれで対称的になるように形成されて成り、大腿部９０Ａは股間関節機構部８０の脚部連結球８８に脚部連結手段９１によって回動自在に連結されており、また大腿部９０Ａと脛部９０Ｂとは膝部連結手段１０１によって、脛部９０Ｂと足部９０Ｃとは足首連結手段１１１によってそれぞれ回動、揺動自在に連結されている。大腿部９０Ａは、脚部連結手段９１における脚部連結アーム９４が回動自在に強制的に嵌め入れられる股間部連結孔９５を上部に、膝部連結手段１０１の大腿連結アーム１０３が回動自在に嵌め入れられる脛連結孔１０２を下部に備えた外形が大腿形状を呈して成り、脛部９０Ｂは、膝部連結手段１０１の脛連結アーム１０４が回動自在に嵌め入れられる大腿連結孔１０７を上部に、足首連結手段１１１の脚部連結アーム１１３が回動自在に嵌め入れられる足部連結孔１１２Ａを下部に備えた外形が脛形状を呈して成る。足部９０Ｃは、足首連結手段１１１の足部連結アーム１１４が回動自在に嵌め入れられる脚部連結孔１１２Ｂを上部に備えて、外形は足形状あるいは所定の履物を模した履物形状を呈して成る。
【００４４】
（脚部連結手段９１）
脚部連結手段９１は、図１０に示すように、股間関節機構部８０の脚部連結球８８に強制的に嵌め合わせるよう内周側面、底面が球面状となっている溝状の嵌合凹部９３を備えた連結ブロック９２を上部に有し、脚部体９０における大腿部９０Ａの上部に形成してある股間部連結孔９５に、容易には抜脱が阻止された状態で回動自在で強制的に嵌め入れる脚部連結アーム９４を下部に備えることで、連結ブロック９２が脚部連結アーム９４径に比し大径になっている正面ほぼＴ字外郭形状を呈して成る。この脚部連結手段９１の連結ブロック９２には、臀部材８９の挿通凹部８９Ａと嵌合凹部９３とが合致するようにして臀部材８９が連結ブロック９２を覆う状態にして組み立てられる。そして、脚部連結球８８に、嵌合凹部９３を挿通凹部８９Ａと共に嵌め合わせることで、股間関節機構部８０に脚部連結手段９１が回動自在に連結される。この連結状態時では、臀部材８９が連結ブロック９２、脚部連結アーム９４、脚部連結球８８のいずれをも覆い、臀部収納部１９において臀部材８９が外観されるようにしてある。尚、股間部連結孔９５の内周面に固定的に嵌め入れたスリットがある筒状の脚部スリーブ９５Ａに脚部連結アーム９４を強制的に嵌め入れて滑らかに回転させるようにして、回動操作が方向を問わずに円滑になるように配慮し、また脚部連結アーム９４下端にはこの下端部分をやや大径にした抜脱防止部９６を形成してある。
【００４５】
（膝部連結手段１０１）
膝部連結手段１０１は、大腿部９０Ａの下部の脛連結孔１０２に回動自在に強制的に嵌め入れられる棒状の断面円形の大腿連結アーム１０３と、脛部９０Ｂにおける大腿連結孔１０７に強制的に嵌め入れられる棒状の断面矩形状の脛連結アーム１０４と、これらの連結アーム１０３，１０４相互を揺動自在に連繋している屈曲連繋環１０５とから成る。また、連結アーム１０３，１０４の外周面と、脛連結孔１０２、大腿連結孔１０７の内周面との間で強制的に嵌め合わされて容易には抜脱されないように相互に噛み合う突条部と溝部とから成る抜脱防止部１０６がそれぞれの周方向に沿って形成されている。尚、この膝部連結手段１０１の具体的構成は、前記肘部連結手段６１における中央部材６７、第１，第２挟持部材６８，６９による組み立て構成と同様に構成されているので、これの詳細な説明は省略される（図８参照）。
【００４６】
（足首連結手段１１１）
足首連結手段１１１は、脛部９０Ｂにおける足部連結孔１１２Ａに回動自在に強制的に嵌め入れられる脚部連結アーム１１３と、足部９０Ｃにおける脛連結孔１１２Ｂに回動自在にして強制的に嵌め入れられる足部連結アーム１１４と、これらの連結アーム１１３，１１４相互を揺動自在に連繋している屈曲連繋環１１５とから成る。また、連結アーム１１３，１１４の外周面と、足部連結孔１１２Ａ、脚部連結孔１１２Ｂの内周面との間で強制的に嵌め合わされて容易には抜脱されないように相互に噛み合う突条部と溝部とから成る抜脱防止部１１６がそれぞれの周方向に沿って形成されている。この足首部連結手段１１１の具体的な構成は、図１１に示すように、第１連結アーム１１３あるいは第２連結アーム１１４となる断面で円形を呈する棒状のアーム部（１１３，１１４）の一端面のほぼ中央部位に、扁平なドーナツ状で連繋孔１１５Ａを有する連繋リング１１５Ｂを一体に形成した中央部材１１７と、この中央部材１１７の連繋リング１１５Ｂの一方の面に当接する第１挟持部１１５Ｃ面に、連繋リング１１５Ｂの連繋孔１１５Ａに回動自在に嵌め入れられる連繋円盤部１１５Ｄを隆部状に突設形成すると共に、第１挟持部１１５Ｃの縁部に半割状の断面半円形の連結半割アーム１１４Ａを突出状に一体形成して成る第１挟持部材１１８と、中央部材１１７の連繋リング１１５Ｂの他方の面に当接する第２挟持部１１５Ｅ面に、連繋円盤部１１５Ｄに嵌め合う雌雄の挟持嵌合部１１５Ｆを形成すると共に、第２挟持部１１５Ｅの縁部に、第１挟持部１１５Ｃの連結半割アーム１１４Ａに嵌め合う雌雄の連結嵌合部１１４Ｃを備えた半割状の断面半円形の連結半割アーム１１４Ｂを突出状に一体形成して成る第２挟持部材１１９とから構成されている。
【００４７】
これらの中央部材１１７、第１，第２挟持部材１１８，１１９は、中央部材１１７の両面から対状に組み合わせられる第１，第２挟持部材１１８，１１９が、中央部材１１７の連繋リング１１５Ｂを両側に配した第１，第２挟持部１１５Ｃ，１１５Ｅにて連繋円盤部１１５Ｄを連繋孔１１５Ａ内に嵌め入れて挟持嵌合部１１５Ｆによって、また、相互の内側面が当接する連結半割アーム１１４Ａ，１１４Ｂが連結嵌合部１１４Ｃによってそれぞれが嵌合一体化されることで組み立てられる。この組立時では、連繋リング１１５Ｂ両面に配した第１，第２挟持部１１５Ｃ，１１５Ｅが屈曲連繋環１１５となって連繋リング１１５Ｂ面に沿って回動可能であり、中央部材１１７の棒状のアーム部（１１３，１１４）、接合されて一体化される半割状の連結半割アーム１１４Ａ，１１４Ｂ相互による棒状部それぞれが断面で円形を呈する第１，第２連結アーム１１３，１１４のいずれかとなって、脛部９０Ｂ側、足部９０Ｃ側それぞれに連結されることで、可動部を構成する。
【００４８】
尚、第１，第２挟持部１１５Ｃ，１１５Ｅ相互を接合一体化する挟持嵌合部１１５Ｆは、第１，第２挟持部材１１８，１１９のいずれに設けても良く、また断面が非円形であることで接合位置を一定にでき、半割状の連結半割アーム１１４Ａ，１１４Ｂ相互を接合一体化する連結嵌合部１１４Ｃは、第１，第２挟持部材１１８，１１９のいずれが雄部、雌部であっても、また断面が円形であっても良い。
【００４９】
（各連結手段の変形例）
また、以上説明した頸部連結手段２１、腕部連結手段５１、肘部連結手段６１、手首連結手段７１、膝部連結手段１０１、足首連結手段１１１は、対状となる棒状、球状の連結アーム・球２３，２４、３２，３３、５２，５３、６３，６４、７３，７４、１０３，１０４、１１３，１１４を屈曲部分（２５，５４，６５，７５，１０５，１１５）によって揺動自在に連繋してなる構成を基本としている。これらの連結アーム・球２３，…の径、長さ更には断面円形あるいは矩形とするアーム形状の変更等によって異なるものとして、例えばＬサイズ、Ｍサイズ、Ｓサイズ、ＳＳサイズ等として複数で用意される。すなわち、関節部分によって屈曲される揺動構造、その関節部分によって連結している肩部構造材、上腕部５０Ａ、下腕部５０Ｂ、手部５０Ｃ、大腿部９０Ａ、脛部９０Ｂ、足部９０Ｃ等の各被連結部材相互に対して回動・揺動可能とさせる可動構造となる部位の関節構造とされていれば足りる。尚、屈曲部分２５，…の外表面は球面状に膨出形成することで、フィギュア玩具として外観されるときの体裁が良好となるように配慮すると良い。
【００５０】
（ディスプレー例）
図１２においては、適宜な姿態となしてディスプレーしたフィギュア玩具の組立の一例が示されている。この図例では、戦闘用の武器を携帯した戦闘姿勢のものとなるよう、胴部体１０上の頭部体３０の顔面を所定の方向に向け、左右の腕部体５０に所定の武器を握持させ、また左右の脚部体９０によって立ち姿勢となした状態で、スタンド具Ｓに支持させたものである。もとより、フィギュア玩具による姿態はこの図示例に限らないのであり、可動部である頸部連結手段２１、頭部連結手段３１、左右の腕部連結手段５１、肘部連結手段６１、手首連結手段７１、股間関節機構部８０、左右の脚部連結手段９１、膝部連結手段１０１、足首連結手段１１１等のそれぞれの部位で回動、揺動、屈曲等することで様々な形態とすることができる。
【符号の説明】
【００５１】
Ｓ…スタンド具
１…フィギュア玩具本体
１０…胴部体                            １０Ａ…胸部
１０Ｂ…腹部                            １１…頸部収納部
１１Ａ…頸部連結孔                      １２…肩部収納部
１２Ａ…腕部連結孔                      １４…胴部形成連結手段
１５Ａ…腹部連結孔                      １５Ｂ…胸部連結孔
１５Ｃ…胴部スリーブ                    １６…第１連結球
１７…第２連結球                        １８…軸部
１９…臀部収納部
２０…頸部                              ２１…頸部連結手段
２２Ａ…胴部連結孔                      ２２Ｂ…頭部連結孔
２３…第２連結アーム                    ２３Ａ…連結半割アーム
２３Ｂ…連結半割アーム                  ２３Ｃ…連結嵌合部
２４…第１連結アーム                    ２５…屈曲連繋環
２５Ａ…連繋孔                          ２５Ｂ…連繋リング
２５Ｃ…第１挟持部                      ２５Ｄ…連繋円盤部
２５Ｅ…第２挟持部                      ２５Ｆ…挟持嵌合部
２６…抜脱防止部                        ２７…中央部材
２８…第１挟持部材                      ２９…第２挟持部材
３０…頭部体                            ３０Ａ…顔面部
３０Ｂ…眼部                            ３０Ｃ…後頭部
３０Ｄ…頭髪部                          ３１…頭部連結手段
３２…第１連結球                        ３３…第２連結球
３４…軸部                              ３５…頸部連結孔
３５Ｃ…頭部スリーブ
４０…肩部材                            ４０Ａ…挿通凹部
４１…肩部連結手段                      ４２…肩連結アーム
４３…連結ブロック                      ４４…連結凹部
５０…腕部体                            ５０Ａ…上腕部
５０Ｂ…下腕部                          ５０Ｃ…手部
５１…腕部連結手段                      ５２…肩部連結球
５３…腕部連結アーム                    ５３Ａ…連結半割アーム
５３Ｂ…連結半割アーム                  ５３Ｃ…連結嵌合部
５４…屈曲連繋環                        ５４Ａ…連繋孔
５４Ｂ…連繋リング                      ５４Ｃ…第１挟持部
５４Ｄ…連繋円盤部                      ５４Ｅ…第２挟持部
５４Ｆ…挟持嵌合部                      ５５…肩部連結孔
５６…抜脱防止部                        ５７…中央部材
５８…第１挟持部材                      ５９…第２挟持部材
６１…肘部連結手段                      ６２Ａ…下腕連結孔
６２Ｂ…上腕連結孔                      ６３…第１連結アーム
６４…第２連結アーム                    ６４Ａ…連結半割アーム
６４Ｂ…連結半割アーム                  ６５…屈曲連繋環
６５Ａ…連繋孔                          ６５Ｂ…連繋リング
６５Ｃ…第１挟持部                      ６５Ｄ…連繋円盤部
６５Ｅ…第２挟持部                      ６５Ｆ…挟持嵌合部
６６…抜脱防止部                        ６７…中央部材
６８…第１挟持部材                      ６９…第２挟持部材
７１…手首連結手段                      ７２…手部連結孔
７３…腕連結アーム                      ７３Ａ…連結半割アーム
７３Ｂ…連結半割アーム                  ７３Ｃ…連結嵌合部
７４…手部連結フランジ                  ７５…屈曲連繋環
７５Ａ…連繋孔                          ７５Ｂ…連繋リング
７５Ｃ…第１挟持部                      ７５Ｄ…連繋円盤部
７５Ｅ…第２挟持部                      ７５Ｆ…挟持嵌合部
７６…抜脱防止部                        ７７…中央部材
７８…第１挟持部材                      ７９…第２挟持部材
７９Ａ…腕連結孔
８０…股間関節機構部                    ８１…股間連結孔
８１Ａ…股間スリーブ                    ８２…股間連結ベース
８３…胴部連結球                        ８４…ベース連繋片
８４Ａ…ベース連繋孔                    ８５…股間揺動バー
８６…バー連繋片                        ８６Ａ…バー連繋孔
８７…ねじ止め                          ８８…脚部連結球
８９…臀部材                            ８９Ａ…挿通凹部
９０…脚部体                            ９０Ａ…大腿部
９０Ｂ…脛部                            ９０Ｃ…足部
９１…脚部連結手段                      ９３…連結ブロック
９２…嵌合凹部                          ９４…脚部連結アーム
９５…股間部連結孔                      ９５Ａ…脚部スリーブ
９６…抜脱防止部
１０１…膝部連結手段                    １０２…脛連結孔
１０３…大腿連結アーム                  １０４…脛連結アーム
１０５…屈曲連繋環                      １０６…抜脱防止部
１０７…大腿連結孔
１１１…足首連結手段                    １１２Ａ…足部連結孔
１１２Ｂ…脚部連結孔                    １１３…脚部連結アーム
１１４…足部連結アーム                  １１４Ａ…連結半割アーム
１１４Ｂ…連結半割アーム                １１５…屈曲連繋環
１１５Ａ…連繋孔                        １１５Ｂ…連繋リング
１１５Ｃ…第１挟持部                    １１５Ｄ…連繋円盤部
１１５Ｅ…第２挟持部                    １１５Ｆ…挟持嵌合部
１１６…抜脱防止部                      １１７…中央部材
１１８…第１挟持部材                    １１９…第２挟持部材
【図１】
0003171931.tif 000003
【図２】
0003171931.tif 000004
【図３】
0003171931.tif 000005
【図４】
0003171931.tif 000006
【図５】
0003171931.tif 000007
【図６】
0003171931.tif 000008
【図７】
0003171931.tif 000009
【図８】
0003171931.tif 000010
【図９】
0003171931.tif 000011
【図１０】
0003171931.tif 000012
【図１１】
0003171931.tif 000013
【図１２】
0003171931.tif 000014